(57)【要約】【課題】操作感の良いレンズバリア装置を提供する。【解決手段】撮影レンズを保護する一対のレンズバリア１２，１３と、被写体からの光を透過させる光透過孔１１ｆが中心部に形成され、且つ、光透過孔を開閉する一対のレンズバリを開閉可能に軸支させたレンズバリア支持用フレーム１１と、レンズバリア支持用フレームに対して所定の角度範囲に亘って正逆転可能に支持され、且つ、一対のレンズバリア１２，１３に形成した各係合ピン１２ｄ，１３ｄを内部に形成した一対のカム溝１４ｆ，１４ｇにそれぞれ係合させて、正逆転動作に伴って一対のレンズバリアを開閉させる操作リング１４と、レンズバリア支持用フレーム１１に形成したトグルバネ掛止部１１ｉと、操作リング１４に形成したトグルバネ掛止部１４ｈとの間に取り付けられて、操作リング１４をレンズバリア閉じ位置側とレンズバリア開き位置側とにクリック感を持って付勢するトグルバネ１５とを備えた。【選択図】図２
2007322872.tif 000002
【特許請求の範囲】
【請求項１】
撮影レンズを保護するための一対のレンズバリアを開閉可能に設けて、前記撮影レンズの前方に配設されるレンズバリア装置において、
被写体からの光を透過させる光透過孔が中心部に形成され、且つ、前記光透過孔を開閉する前記一対のレンズバリアを開閉可能に軸支させたレンズバリア支持用フレームと、
前記レンズバリア支持用フレームに対して所定の角度範囲に亘って正逆転可能に支持され、且つ、前記一対のレンズバリアに形成した各係合ピンをレンズバリア閉じ位置とレンズバリア開き位置との間でカム状に形成した一対のカム溝にそれぞれ係合させて、正逆転動作に伴って前記一対のレンズバリアを開閉させる操作リングと、
前記レンズバリア支持用フレームに形成したトグルバネ掛止部と、前記操作リングに形成したトグルバネ掛止部との間に取り付けられて、前記操作リングを前記レンズバリア閉じ位置側と前記レンズバリア開き位置側とにクリック感を持って付勢するトグルバネとを、を備えたことを特徴とするレンズバリア装置。
【請求項２】
前記レンズバリア支持用フレームに前記操作リングを正逆転可能に嵌合させた状態で該操作リングを介して前記レンズバリア支持用フレームを締結すると共に、前記撮影レンズを保持する枠体に取り付けられる締結用フレームを備えたことを特徴とする請求項１記載のレンズバリア装置。
【請求項３】
前記締結用フレームに形成したＵ字状バネ掛止部と、
バネ用線材を用いて略Ｕ字状に形成され、且つ、中間部が前記締結用フレームに形成した前記Ｕ字状バネ掛止部に掛止されていると共に、一端部及び他端部が前記一対のレンズバリアに形成した各係合ピンに掛止されて、前記一対のレンズバリアを常に閉じ方向に付勢するＵ字状バネを備えたことを特徴とする請求項２記載のレンズバリア装置。
【請求項４】
前記操作リングに形成した前記一対のカム溝に係合する前記一対のレンズバリアを一対のメインレンズバリアとし、且つ、前記一対のメインレンズバリア上に一対のサブレンズバリアをそれぞれ軸支させて、前記一対のメインレンズバリアの開閉動作に連動して前記一対のサブレンズバリアを開閉させることを特徴とする請求項１〜請求項３のうちいずれか１項記載のレンズバリア装置。
【発明の詳細な説明】
【技術分野】
【０００１】
本発明は、撮影レンズを保護する一対のレンズバリアを、所定の角度範囲に亘って正逆転可能な操作リングの内部に形成した一対のカム溝にそれぞれ係合させて、これら一対のレンズバリアを操作リングの正逆転動作に伴って開閉させるレンズバリア装置に関するものである。
【背景技術】
【０００２】
一般的に、カメラとかビデオカメラなどの前面側には撮影レンズを保護するためのレンズバリア装置が取り付けられている。
【０００３】
この種のレンズバリア装置は各種の構造形態があるものの、一例として、撮影レンズを保護する一対のレンズバリアを所定の角度範囲に亘って正逆転可能な操作リングの内部に形成した一対のカム溝にそれぞれ係合させて、この一対のレンズバリアを操作リングの正逆転動作に伴って開閉させるものがあるがある（例えば、特許文献１参照）。
【特許文献１】特開平８−２９２３５１号公報。
【０００４】
図１７は従来のレンズバリア付きカメラを示した正面図、
図１８は従来のレンズバリア付きカメラの前側部分を分解して示した分解斜視図である。
【０００５】
図１７及び図１８に示した従来のレンズバリア付きカメラ１００は、上記した特許文献１（特開平８−２９２３５１号公報）に開示されているものであり、ここでは特許文献１を参照して簡略に説明する。
【０００６】
図１７に示した如く、従来のレンズバリア付きカメラ１００では、カメラ本体１０１の前面１０１ａ側に円板状の操作リング１０２が所定の角度範囲に亘って正逆転可能に設けられており、この操作リング１０２の外周部１０２ａから一体的に突出した操作レバー部１０２ｂを反時計方向（矢印Ａ方向）に回転すると、操作リング１０２の回転と協働して一対のレンズバリア１０３，１０４が上下に向かって開くようになっている。
【０００７】
ここで、カメラ本体１０１の前面１０１ａ側について図１８を用いて説明すると、上記した円板状の操作リング１０２及び一対のレンズバリア１０３，１０４は、カメラ本体１０１の前面１０１ａに取り付けられる前面かざり板１０５とカメラ本体１０１の前面１０１ａとの間に挟持されている。尚、１０６はカメラ１０１の前面１０１ａの上部に取り付けられる透明カバーであり、１０７は透明カバー１０６の下方に取り付けられて撮影モードを表示する目盛板である。
【０００８】
また、カメラ本体１０１の前面１０１ａには、不図示の撮影レンズと対応して丸孔１０１ｂが貫通して穿設されており、この丸孔１０１ｂの外周近傍に一対のレンズバリア支持軸１０１ｃ，１０１ｄが前方に向かって突設され、且つ、一対のレンズバリア支持軸１０１ｃ，１０１ｄの外側に一対の周壁１０１ｅ，１０１ｆが左右に分かれて前方に向かって突設されている。
【０００９】
また、円板状の操作リング１０２は、外周部１０２ａから外側下方に向かって一体的に突出した操作レバー部１０２ｂと、後面から光軸Ｋに沿って後方に突出した係合脚部１０２ｃと、カメラ本体１０１の丸孔１０１ｂと対応して中心部に穿設した丸孔１０２ｄと、外周部１０２ａと丸孔１０２ｄとの間に貫通して形成した一対のカム溝１０２ｅ，１０２ｆとを有している。
【００１０】
この際、上記した一対のカム溝１０２ｅ，１０２ｆは、光軸からの径方向距離が一定且つ短い第１溝１０２ｅ１，１０２ｆ１と、接続用の第２溝１０２ｅ２，１０２ｆ２と、光軸からの径方向距離が一定且つ長い第３溝１０２ｅ３，１０２ｆ３とが第１溝，第２溝，第３溝の順に連接されている。
【００１１】
そして、円板状の操作リング１０２は、カメラ本体１０１の前面１０１ａに突設された一対の周壁１０１ｅ，１０１ｆ内に挿入されて、所定の角度範囲に亘って正逆転可能に支持されている。尚、操作リング１０２の係合脚部１０２ｃは、カメラ本体１０１の内部に収納される不図示のフォーカスリングに係合し、操作リング１０２と不図示のフォーカスリングとが一体的に回転するようになっている。
【００１２】
また、一対のレンズバリア１０３，１０４は、上下に分割されてそれぞれ略三角状に形成されており、各一端から光軸Ｋに沿って後方に突出した案内突起部１０３ａ，１０４ａと、案内突起部１０３ａ，１０４ａの近傍に形成された支持孔１０３ｂ，１０４ｂとを有している。この際、カメラ本体１０１の前面１０１ａに突設された一対のレンズバリア支持軸１０１ｃ，１０１ｄは、所定の角度範囲内で回転する操作リング１０２に形成した一対のカム溝１０２ｅ，１０２ｆの第１溝１０２ｅ１，１０２ｆ１を貫通して前方に突出し、一対のレンズバリア１０３，１０４の支持孔１０３ｂ，１０４ｂに挿入されることで、一対のレンズバリア１０３，１０４が一対のレンズバリア支持軸１０１ｃ，１０１ｄに回動可能に支持されている。
【００１３】
そして、カメラ前方から見て時計方向(矢印Ｂ方向)に最も回転された位置に操作リング１０２があるとき、一対のレンズバリア１０３，１０４の案内突起部１０３ａ，１０４ａは、操作リング１０２の一対のカム溝１０２ｅ，１０２ｆの第３溝１０２ｅ３，１０２ｆ３に摺接するので、一対のレンズバリア１０３，１０４は互いに接近して接触する。つまり、一対のレンズバリア１０３，１０４は閉状態となる。
【００１４】
一方、操作リング１０２がカメラ前方から見て反時計方向(矢印Ａ方向)に回転すると、一対のレンズバリア１０３，１０４の案内突起部１０３ａ，１０４ａは、操作リング１０２の一対のカム溝１０２ｅ，１０２ｆの第３溝１０２ｅ３，１０２ｆ３から第２溝１０２ｅ２，１０２ｆ２を経由して第１溝１０２ｅ１，１０２ｆ１に摺接するので、一対のレンズバリア１０３，１０４は一対のレンズバリア支持軸１０１ｃ，１０１ｄを中心にしてそれぞれ反時計方向に回動し、一対のレンズバリア１０３，１０４が互いに最も離れる。つまり、一対のレンズバリア１０３，１０４は開状態となる。
【発明の開示】
【発明が解決しようとする課題】
【００１５】
ところで、従来のレンズバリア付きカメラ１００によれば、操作リング１０２を反時計方向(矢印Ａ方向)又は時計方向(矢印Ｂ方向)に回転することで、この操作リング１０２内に形成した一対のカム溝１０２ｅ，１０２ｆにそれぞれ係合した一対のレンズバリア１０３，１０４がレンズバリア開き位置と、レンズバリア閉じ位置との間で開閉自在になっているものの、操作者は一対のレンズバリア１０３，１０４がレンズバリア開き位置に至ったのか、又は、レンズバリア閉じ位置に至ったのかを感覚的に感じることができず、いわゆるクリック感がない構造形態である。
【００１６】
また、一対のレンズバリア１０３，１０４は、正逆転自在な操作リング１０２内に形成した一対のカム溝１０２ｅ，１０２ｆにそれぞれ係合し、且つ、一対のカム溝１０２ｅ，１０２ｆの形状のみでレンズバリア開き位置と、レンズバリア閉じ位置とを規制しているため、一対のカム溝１０２ｅ，１０２ｆの寸法精度や一対のレンズバリア１０３，１０４の支持軸の位置ズレなどが発生した場合に、一対のレンズバリア１０３，１０４が完全に開かなかったり、又は、完全に閉じないなどの問題点が発生する恐れがある。
【００１７】
そこで、撮影レンズを保護する一対のレンズバリアを、所定の角度範囲に亘って正逆転可能な操作リングの内部に形成した一対のカム溝にそれぞれ係合させて、これら一対のレンズバリアを操作リングの正逆転動作に伴って開閉させる際に、一対のレンズバリアをクリック感を持ってレンズバリア開き位置と、レンズバリア閉じ位置との間で開閉でき、且つ、上記した一対のカム溝の寸法精度や一対のレンズバリアの支持軸の位置ズレなどに影響しない構造形態のレンズバリア装置が望まれている。
【課題を解決するための手段】
【００１８】
本発明は上記課題に鑑みてなされたものであり、請求項１記載の発明は、撮影レンズを保護するための一対のレンズバリアを開閉可能に設けて、前記撮影レンズの前方に配設されるレンズバリア装置において、
被写体からの光を透過させる光透過孔が中心部に形成され、且つ、前記光透過孔を開閉する前記一対のレンズバリアを開閉可能に軸支させたレンズバリア支持用フレームと、
前記レンズバリア支持用フレームに対して所定の角度範囲に亘って正逆転可能に支持され、且つ、前記一対のレンズバリアに形成した各係合ピンをレンズバリア閉じ位置とレンズバリア開き位置との間でカム状に形成した一対のカム溝にそれぞれ係合させて、正逆転動作に伴って前記一対のレンズバリアを開閉させる操作リングと、
前記レンズバリア支持用フレームに形成したトグルバネ掛止部と、前記操作リングに形成したトグルバネ掛止部との間に取り付けられて、前記操作リングを前記レンズバリア閉じ位置側と前記レンズバリア開き位置側とにクリック感を持って付勢するトグルバネとを、を備えたことを特徴とするレンズバリア装置である。
【００１９】
また、請求項２記載の発明は、前記レンズバリア支持用フレームに前記操作リングを正逆転可能に嵌合させた状態で該操作リングを介して前記レンズバリア支持用フレームを締結すると共に、前記撮影レンズを保持する枠体に取り付けられる締結用フレームを備えたことを特徴とする請求項１記載のレンズバリア装置である。
【００２０】
また、請求項３記載の発明は、前記締結用フレームに形成したＵ字状バネ掛止部と、
バネ用線材を用いて略Ｕ字状に形成され、且つ、中間部が前記締結用フレームに形成した前記Ｕ字状バネ掛止部に掛止されていると共に、一端部及び他端部が前記一対のレンズバリアに形成した各係合ピンに掛止されて、前記一対のレンズバリアを常に閉じ方向に付勢するＵ字状バネを備えたことを特徴とする請求項２記載のレンズバリア装置である。
【００２１】
更に、請求項４記載の発明は、前記操作リングに形成した前記一対のカム溝に係合する前記一対のレンズバリアを一対のメインレンズバリアとし、且つ、前記一対のメインレンズバリア上に一対のサブレンズバリアをそれぞれ軸支させて、前記一対のメインレンズバリアの開閉動作に連動して前記一対のサブレンズバリアを開閉させることを特徴とする請求項１〜請求項３のうちいずれか１項記載のレンズバリア装置である。
【発明の効果】
【００２２】
請求項１記載のレンズバリア装置によると、撮影レンズを保護する一対のレンズバリアを、所定の角度範囲に亘って正逆転可能な操作リングの内部に形成した一対のカム溝にそれぞれ係合させて、これら一対のレンズバリアを操作リングの正逆転動作に伴って開閉させる際、とくに、レンズバリア支持用フレームに形成したトグルバネ掛止部と、操作リングに形成したトグルバネ掛止部との間にトグルバネを取り付けて、このトグルバネのバネ力により操作リングをレンズバリア閉じ位置側とレンズバリア開き位置側とにクリック感を持って付勢しているので、操作者は操作リングの正逆転動作に伴って、一対の第１，第２レンズバリアをトグルバネのバネ力によりレンズバリア閉じ位置とレンズバリア開き位置とでクリック感を持って開閉でき、これにより、従来例よりも操作感の良いレンズバリア装置を提供することができる。
【００２３】
また、請求項２記載のレンズバリア装置によると、とくに、レンズバリア支持用フレームに操作リングを正逆転可能に嵌合させた状態で操作リングを介してレンズバリア支持用フレームを締結すると共に、撮影レンズを保持する枠体に取り付けられる締結用フレームを備えたため、請求項１記載の効果が得られる他に、レンズバリア装置を撮影レンズを保持する枠体に固定又は着脱自在に取り付けることができる。
【００２４】
また、請求項３記載のレンズバリア装置によると、とくに、締結用フレームに形成したＵ字状バネ掛止部と、バネ用線材を用いて略Ｕ字状に形成され、且つ、中間部が締結用フレームに形成したＵ字状バネ掛止部に掛止されていると共に、一端部及び他端部が一対のレンズバリアに形成した各係合ピンに掛止されて、一対のレンズバリアを常に閉じ方向に付勢するＵ字状バネを備えたために、請求項１及び請求項２記載の効果が得られる他に、一対のレンズバリアが閉じている時に、操作者がピンセットなどを用いて第１，第２レンズバリアの接合部位を故意にこじ開けようとしてもＵ字状バネのバネ力により第１，第２レンズバリアを開くことができないので、レンズバリア装置の信頼性を向上させることができ、更に、操作リングに形成した一対のカム溝の形状とか、一対の第１，第２レンズバリアの支持軸の位置ズレなどに影響しないで、一対の第１，第２レンズバリアに形成した各係合ピンを操作リングに形成した一対のカム溝に沿って確実に移動することができる。
【００２５】
更に、請求項４記載のレンズバリア装置によると、とくに、操作リングに形成した一対のカム溝に係合する一対のレンズバリアを一対のメインレンズバリアとし、且つ、一対のメインレンズバリア上に一対のサブレンズバリアをそれぞれ軸支させて、一対のメインレンズバリアの開閉動作に連動して一対のサブレンズバリアを開閉させているので、４枚構成のレンズバリアタイプとなり、この４枚構成のレンズバリアタイプは、２枚構成のレンズバリアタイプの駆動量と同じ駆動量で開口面積を広げることができ、言い換えると、両タイプの開口面積が同じである場合に４枚構成のレンズバリアタイプでは各バリアの退避面積が小さくなるので、２枚構成のレンズバリアタイプよりも小型化を図ることが可能になる。
【発明を実施するための最良の形態】
【００２６】
以下に本発明に係るレンズバリア装置の一実施例について図１〜図１６を参照して、実施例１，実施例２の順に詳細に説明する。
【００２７】
図１は本発明に係る実施例１のレンズバリア装置又は実施例２のレンズバリア装置を取り付けたビデオカメラを示した図であり、（ａ）は一対のレンズバリアがレンズバリア閉じ位置に至った状態を示し、（ｂ）は一対のレンズバリアがレンズバリア開き位置に至った状態を示し、（ｃ）はビデオカメラの全体構成を示した図である。
【００２８】
図１（ａ）〜（ｃ）に示した如く、本発明に係る実施例１のレンズバリア装置１０Ａ又は実施例２のレンズバリア装置１０Ｂは、ビデオカメラ２０のカメラ筺体２１内に内蔵した撮影レンズ２２を保護するために、カメラ筺体２１の前面２１ａ側に取り付けられている。
【００２９】
この際、上記した実施例１，２のレンズバリア装置１０Ａ，１０Ｂは、カメラ筺体２１の前面２１ａ側に付図示の固定用ネジ等を用いて予め固定する方法を採用するか、又は、カメラ筺体２１の前面２１ａ側にネジ螺合させて着脱自在に取り付ける方法を採用するかのいずれかの方法により取り付けている。
【００３０】
尚、実施例１，２のレンズバリア装置１０Ａ，１０Ｂは、ビデオカメラ２０に取り付けているが、これに限ることなく、不図示のカメラやレンズに取り付けることも可能である。
【００３１】
また、上記した実施例１，２のレンズバリア装置１０Ａ，１０Ｂは、前方からカメラ筺体２１側に向かって、レンズバリア支持用フレーム１１と、このレンズバリア支持用フレーム１１に形成した光透過孔１１ｆを開閉するために内部に開閉自在（回動自在）に支持された一対のレンズバリア１２，１３と、レンズバリア支持用フレーム１１に対して所定の角度範囲に亘って正逆転可能に支持されて内部に一対のレンズバリア１２，１３をそれぞれ係合させる一対のカム溝（図１では図示せず）が形成された操作リング１４（又は１４’）と、レンズバリア支持用フレーム１１に操作リング１４（又は１４’）を正逆転可能に嵌合させた状態で操作リング１４（又は１４’）を介してレンズバリア支持用フレーム１１を締結すると共にビデオカメラ２０の筺体２１の前面２１ａ側に取り付けられる締結用フレーム１６（又は１６’）とをそれぞれ共通に備えている。
【００３２】
そして、一対のレンズバリア１２，１３が操作リング１４（又は１４’）の正逆転動作に伴って操作リング１４（又は１４’）内に形成した一対のカム溝に追従することで、図１（ａ）に示したように一対のレンズバリア１２，１３がレンズバリア閉じ位置に至った状態と、図１（ｂ）に示したように一対のレンズバリア１２，１３がレンズバリア開き位置に至った状態とを取り得るように構成されている。
【００３３】
この際、後述するように、上記した各構成部材１１〜１４（又は１４’），１６（又は１６’）の他に、実施例１では一対のレンズバリア１２，１３をレンズバリア閉じ位置とレンズバリア開き位置とでクリック感を持って開閉するトグルバネ１５（図２）を備え、一方、実施例２では一対のレンズバリア１２，１３をレンズバリア閉じ位置とレンズバリア開き位置とでクリック感を持って開閉するトグルバネ１５（図１２）及び一対のレンズバリア１２，１３を常に閉じ方向に付勢するＵ字状バネ１７（図１２）を備えている点が各実施例でそれぞれ異なっている。
【実施例１】
【００３４】
図２は本発明に係る実施例１のレンズバリア装置を分解して示した分解斜視図、
図３は本発明に係る実施例１のレンズバリア装置において、レンズバリア支持用フレームを示した図、
図４は本発明に係る実施例１のレンズバリア装置において、第１レンズバリアを示した図、
図５は本発明に係る実施例１のレンズバリア装置において、第２レンズバリアを示した図、
図６は本発明に係る実施例１のレンズバリア装置において、一対の第１，第２レンズバリアが閉じた状態を示した図、
図７は本発明に係る実施例１のレンズバリア装置において、操作リングを示した図、
図８は本発明に係る実施例１のレンズバリア装置において、トグルバネを拡大して示した図、
図９は本発明に係る実施例１のレンズバリア装置において、締結用フレームを示した図、
図１０は本発明に係る実施例１のレンズバリア装置の動作を説明するための図、
図１１は本発明に係る実施例１のレンズバリア装置を一部変形させた変形例を説明するための図である。
【００３５】
尚、一対の第１，第２レンズバリア１２，１３の開閉位置はレンズバリア支持用フレーム１１に形成した光透過孔１１ｆに対して先の図１（ａ），（ｂ）に示した状態であるが、図２に示した斜視図の位置関係に対応して各構成部材を図３〜図１０中に図示しているものである。
【００３６】
図２に示した如く、本発明に係る実施例１のレンズバリア装置１０Ａは、レンズバリア支持用フレーム１１と、このレンズバリア支持用フレーム１１の内部に開閉自在（回動自在）に軸支された一対の第１，第２レンズバリア１２，１３と、レンズバリア支持用フレーム１１に対して所定の角度範囲に亘って正逆転可能に支持されて内部に一対の第１，第２レンズバリア１２，１３に形成した各係合ピン１２ｄ，１３ｄをそれぞれ係合させる一対のカム溝１４ｆ，１４ｇが形成された操作リング１４と、操作リング１４をレンズバリア閉じ位置側とレンズバリア開き位置側とにクリック感を持って付勢するトグルバネ１５と、レンズバリア支持用フレーム１１に操作リング１４を正逆転可能に嵌合させた状態で操作リング１４を介してレンズバリア支持用フレーム１１を締結すると共にビデオカメラ２０（図１）の筺体２１の前面２１ａ側に取り付けられる締結用フレーム１６とを備えている。
【００３７】
ここで、実施例１のレンズバリア装置１０Ａの各構成部材について順を追って具体的に説明する。
【００３８】
まず、図２及び図３に示した如く、レンズバリア支持用フレーム１１は、黒色樹脂材を用いて円筒状に形成されている。このレンズバリア支持用フレーム１１は、前面１１ａ側に前面側円形凹部１１ｂ（図３のみ図示）が円形凹状に凹んで形成され、且つ、この前面側円形凹部１１ｂの内側後方に内側円板部１１ｃが円板状に形成されていると共に、内側円板部１１ｃを挟んで後面１１ｄ側に後面側円形凹部１１ｅが円形凹状に凹んで形成されている。
【００３９】
また、レンズバリア支持用フレーム１１の内側円板部１１ｃの中心部には、不図示の被写体からの光を透過させる光透過孔１１ｆが小判状に貫通して穿設されている。
【００４０】
また、レンズバリア支持用フレーム１１の後面１１側で内側円板部１１ｃ上には、仮想中心１１ｏを挟んで一対の第１，第２レンズバリア１２，１３に形成した各孔１２ｃ，１３ｃに嵌合して第１，第２レンズバリア１２，１３を光透過孔１１ｆに対して開閉自在（回動自在）に軸支する一対の第１，第２レンズバリア支持軸１１ｇ，１１ｈと、トグルバネ１５の一端部１５ｂを掛止するために先端部位を細径に形成したトグルバネ掛止部１１ｉ（又は１１ｊ）と、レンズバリア支持用フレーム１１に操作リング１４を正逆転可能に嵌合した状態で操作リング１４を介してレンズバリア支持用フレーム１１を締結用フレーム１６に締結する一対の締結用ボス１１ｍ，１１ｎとが、操作リング１４側に向かってそれぞれ突出されている。
【００４１】
尚、トグルバネ掛止部１１ｉ（又は１１ｊ）は、一つのトグルバネ１５を掛止するものであるのでいずれか一方だけで良いものであるが、この実施例１ではトグルバネ掛止部１１ｉにトグルバネ１５の一端部１５ｂを掛止させている。
【００４２】
次に、図２及び図４並びに図５に示した如く、一対の第１，第２レンズバリア１２，１３は、黒色樹脂材を用いて台形アーム状に形成されており、第１レンズバリア１２はレンズバリア支持用フレーム１１に形成した光透過孔１１ｆに対して上側に配置され、一方、第２レンズバリア１３はレンズバリア支持用フレーム１１に形成した光透過孔１１ｆに対して下側に配置されており、両者１２，１３は、上下左右が略対称に形成されている。
【００４３】
そして、一対の第１，第２レンズバリア１２，１３には、前記したレンズバリア支持用フレーム１１の光透過孔１１ｆを２分割して開閉する台形部１２ａ，１３ａと、台形部１２ａ，１３ａに連接したアーム部１２ｂ，１３ｂとが一体的に形成されている。
【００４４】
この際、一対の第１，第２レンズバリア１２，１３は、台形部１２ａ，１３ａの各前面側に平坦面１２ａ１，１３ａ１（図４，図５のみ図示）が形成され、且つ、台形部１２ａ，１３ａの各後面側に凹部１２ａ２，１３ａ２（図４，図５のみ図示）が凹状に肉抜きされている。
【００４５】
また、一対の第１，第２レンズバリア１２，１３のアーム部１２ｂ，１３ｂの各中間部位には、前記したレンズバリア支持用フレーム１１に形成した第１，第２レンズバリア支持軸１１ｇ，１１ｈに嵌合する孔１２ｃ，１３ｃが貫通してそれぞれ形成されている。
【００４６】
また、一対の第１，第２レンズバリア１２，１３のアーム部１２ｂ，１３ｂの各後面側端部には、後述する操作リング１４の内部に形成した一対の第１，第２カム溝１４ｆ，１４ｇに係合する各係合ピン１２ｄ，１３ｄが操作リング１４側に向かってそれぞれ突出されており、これらの各係合ピン１２ｄ，１３ｄの各径は前記したレンズバリア支持用フレーム１１に細径に形成したトグルバネ掛止部１１ｉ（又は１１ｊ）と略同じ寸法に設定されている。
【００４７】
更に、一対の第１，第２レンズバリア１２，１３の台形部１２ａ，１３ａが上下に分かれて接合する際に、台形部１２ａ，１３ａの接合部位にテーパ面１２ｅ，１３ｅ（図４，図５のみ図示）がそれぞれ形成されている。
【００４８】
そして、図６（ａ），（ｂ）に示した如く、一対の第１，第２レンズバリア１２，１３の台形部１２ａ，１３ａの各接合部位に形成したテーパ面１２ｅ，１３ｅ同士が接合して第１，第２レンズバリア１２，１３が閉じた時に、光の漏れがなく、且つ、塵埃などが内部に侵入しないようになっている。
【００４９】
次に、図２及び図７に示した如く、操作リング１４は、黒色樹脂材を用いて段付き円筒状に形成されている。この操作リング１４は、操作者が手動により円筒部１４ａを所定の角度範囲内で正逆転させるために円筒部１４ａの外周に沿って刻み（図１のみ図示）が刻まれていると共に、この円筒部１４ａの前面側１４ａ１にこれより一回り小径なリング状嵌合壁部１４ｂがレンズバリア支持用フレーム１１側に向かって突出形成されており、このリング状嵌合壁部１４ｂがレンズバリア支持用フレーム１１の後面側凹部１１ｅ内に嵌合することで操作リング１４の円筒部１４ａの前面１４ａ１側が正逆転可能に支持されている。
【００５０】
また、操作リング１４の円筒部１４ａの内部に内側円板部１４ｃが円板状に形成されていると共に、この内側円板部１４ｃを挟んで円筒部１４ａの後面１４ａ２側に後面側円形凹部１４ｄが円形凹状に形成されている。
【００５１】
また、操作リング１４の内側円板部１４ｃの中心部には、不図示の被写体からの光を透過させる光透過孔１４ｅが略円形状に貫通して穿設されており、この光透過孔１４ｅはレンズバリア支持用フレーム１１に形成した光透過孔１１ｆに対して光軸を合わせている。
【００５２】
また、操作リング１４の内側円板部１４ｃ上で光透過孔１４ｅよりも外周側には、一対の第１，第２カム溝１４ｆ，１４ｇが仮想中心１４ｏを挟んで上下左右対称に貫通して形成されており、一対の第１，第２カム溝１４ｆ，１４ｇの各溝幅は、前記したレンズバリア支持用フレーム１１に細径に形成したトグルバネ掛止部１１ｉ（又は１１ｊ）の径及び第１，第２レンズバリア１２，１３の各係合ピン１２ｄ，１３ｄの各径と略同寸に形成されている。従って、レンズバリア支持用フレーム１１に細径に形成したトグルバネ掛止部１１ｉ（又は１１ｊ）及び第１，第２レンズバリア１２，１３の各係合ピン１２ｄ，１３ｄは、操作リング１４に形成した一対の第１，第２カム溝１４ｆ，１４の外周側壁及び内周側壁に当接しながら追従可能になっている。
【００５３】
上記した一対の第１，第２カム溝１４ｆ，１４ｇは、各一端部１４ｆ１，１４ｇ１（図７のみ図示）から各中間部１４ｆ２，１４ｇ２（図７のみ図示）に向かって仮想中心１４ｏからの半径方向距離が徐々に大きくなるようにカム状に形成されて、各中間部１４ｆ２，１４ｇ２から各一端部１４ｆ１，１４ｇ１にかけて一対の第１，第２レンズバリア１２，１３の各係合ピン１２ｄ，１３ｄが係合するようになっていると共に、各中間部１４ｆ２，１４ｇ２から各他端部１４ｆ３，１４ｇ３（図７のみ図示）に向かって仮想中心１４ｏからの半径方向距離が最大の状態で円弧状に形成されて、各他端部１４ｆ３，１４ｇ３から各中間部１４ｆ２，１４ｇ２にかけてレンズバリア支持用フレーム１１の内側円板部１１ｃ上に形成したトグルバネ掛止部１１ｉ（又は１１ｊ）が進入するようになっている。この際、一対の第１，第２カム溝１４ｆ，１４ｇ中で各一端部１４ｆ１，１４ｇ１が一対の第１，第２レンズバリア１２，１３のレンズバリア開き位置となる一方、各中間部１４ｆ２，１４ｇ２が一対の第１，第２レンズバリア１２，１３のレンズバリア閉じ位置となっている。
【００５４】
また、操作リング１４の内側円板部１４ｃ上で且つ光透過孔１４ｅの外周近傍には、トグルバネ掛止部１４ｈ（又は１４ｉ）が仮想中心１４ｏを挟んで上下左右対称に後面１４ａ２側に向かって突出形成されており、この実施例１ではトグルバネ掛止部１４ｈのみを使用してトグルバネ１５の他端部１５ｃを掛止させるようになっている。
【００５５】
また、操作リング１４の内側円板部１４ｃ上で外周部位には、一対の逃げ孔１４ｍ，１４ｎが仮想中心１４ｏを挟んで上下左右対称に貫通して穿設されており、これら一対の逃げ孔１４ｍ，１４ｎ内にレンズバリア支持用フレーム１１の内側円板部１１ｃ上に形成した一対の締結用ボス１１ｍ，１１ｎが進入可能になっている。
【００５６】
次に、図２及び図８に示した如く、トグルバネ１５は、コイルバネ部１５ａの両端から一端部１５ｂと他端部１５ｃとがアーム状に延出されており、一端部１５ｂがレンズバリア支持用フレーム１１の内側円板部１１ｃ上に形成したトグルバネ掛止部１１ｉに掛止され、且つ、他端部１５ｃが操作リング１４の内側円板部１４ｃ上に形成したトグルバネ掛止部１４ｈに掛止されている。そして、このトグルバネ１５は、操作リング１４の正逆転動作に伴って一対の第１，第２レンズバリア１２，１３を開閉した時に、操作リング１４をレンズバリア閉じ位置側とレンズバリア開き位置側とにクリック感を持って付勢する機能を備えている。
【００５７】
次に、図２及び図９に示した如く、締結用フレーム１６は、黒色樹脂材を用いて段付き円板状に形成されている。この締結用フレーム１６は、円板部１６ａの前面側１６ａ１にこれより一回り小径な嵌合用円板部１６ｂ（図９のみ図示）が操作リング１４側に向かって突出形成されており、この嵌合用円板部１６ｂが操作リング１４の後面側凹部１４ｄ内に嵌合されて、操作リング１４の円筒部１４ａの後面１４ａ２側が正逆転可能に支持されている。
【００５８】
また、締結用フレーム１６の円板部１６ａ及び嵌合用円板部１６ｂの中心部には、不図示の被写体からの光を透過させる光透過孔１６ｃが円形状に貫通して穿設されており、この光透過孔１６ｃはレンズバリア支持用フレーム１１の光透過孔１１ｆ及び操作リング１４の光透過孔１４ｅに対して光軸を合わせている。
【００５９】
また、締結用フレーム１６の円板部１６ａ及び嵌合用円板部１６ｂ上で光透過孔１６ｃより外周側には、一対の取付孔１６ｄ，１６ｅが仮想中心１６ｏを挟んで貫通して穿設されており、これら一対の取付孔１６ｄ，１６ｅにレンズバリア支持用フレーム１１の内側円板部１１ｃ上に形成した一対の締結用ボス１１ｍ，１１ｎを不図示のネジで締結することで、レンズバリア支持用フレーム１１と締結用フレーム１６との間に操作リング１４が正逆転可能に支持されている。
【００６０】
また、締結用フレーム１６の円板部１６ａの外周部位には、カメラ筐体取付部１６ｆ，１６ｇがビデオカメラ２０のカメラ筐体２１（図１）側に向かって突出形成されている。そして、レンズバリア支持用フレーム１１，一対の第１，第２レンズバリア１２，１３，操作リング１４，トグルバネ１５，締結用フレーム１６を組立てた後に、締結用フレーム１６のカメラ筐体取付部１６ｆ，１６ｇをカメラ筐体２１の前面２１ａ（図１）側に固定又は着脱自在に取り付けている。
【００６１】
従って、上記した締結用フレーム１６は、レンズバリア支持用フレーム１１に操作リング１４を正逆転可能に嵌合させた状態で操作リング１４を介してレンズバリア支持用フレーム１１を締結すると共に、撮影レンズ２２（図１）を保持する枠体（カメラ筺体）に取り付けられるものである。
【００６２】
ここで、上記のように構成した本発明に係る実施例１のレンズバリア装置１０Ａの動作について図１０（ａ），（ｂ）を用いて説明する。
【００６３】
まず、図１０（ａ）に示した状態は、レンズバリア支持用フレーム１１に対して操作リング１４が初期位置で停止している。
【００６４】
この際、レンズバリア支持用フレーム１１に形成した一対の第１，第２レンズバリア支持軸１１ｇ，１１ｈに孔１２ｃ，１３ｃが軸支された一対の第１，第２レンズバリア１２，１３は、ここに形成した各係合ピン１２ｄ，１３ｄが操作リング１４に形成した一対のカム溝１４ｆ，１４ｇ中でレンズバリア閉じ位置となる中間部に係合しているので、互いに接合部位同士が接触して閉じている。
【００６５】
また、レンズバリア支持用フレーム１１に形成したトグルバネ掛止部１１ｉは操作リング１４に形成したカム溝１４ｇ中で他端側に進入した状態でトグルバネ１５の一端部１５ｂが掛止されていると共に、操作リング１４に形成したトグルバネ掛止部１４ｈにトグルバネ１５の他端部１５ｃが掛止されているので、このトグルバネ１５のバネ力により操作リング１４がレンズバリア閉じ位置側にクリック感を持って付勢されながら一対の第１，第２レンズバリア１２，１３がレンズバリア閉じ位置で閉じられている。
【００６６】
次に、図１０（ｂ）に示した如く、操作者が手動により操作リング１４を裏面側から見て反時計方向に約６０°程度回転させると、一対の第１，第２レンズバリア１２，１３に形成した各係合ピン１２ｄ，１３ｄが操作リング１４に形成した一対のカム溝１４ｆ，１４ｇ中でレンズバリア開き位置となる各一端部側に移動するので、一対の第１，第２レンズバリア１２，１３が開く。これと同時に、レンズバリア支持用フレーム１１に形成したトグルバネ掛止部１１ｉは操作リング１４に形成したカム溝１４ｇ中で中間部に移動し、且つ、操作リング１４に形成したトグルバネ掛止部１４ｈも反時計方向に約６０°移動するので、両トグルバネ掛止部１１ｉ，１４ｈに掛止されたトグルバネ１５の姿勢が初期状態に対して反転されるので、このトグルバネ１５のバネ力により操作リング１４がレンズバリア開き位置側にクリック感を持って付勢されながら一対の第１，第２レンズバリア１２，１３がレンズバリア開き位置で開かれている。
【００６７】
この後、操作リング１４を初期位置に戻す場合には、図１０（ｂ）に示した状態から操作リング１４を裏面側から見て時計方向に逆転させれば良い。
【００６８】
従って、操作者は操作リング１４の正逆転動作に伴って、一対の第１，第２レンズバリア１２，１３をトグルバネ１５のバネ力によりレンズバリア閉じ位置とレンズバリア開き位置とでクリック感を持って開閉できるので、これにより、従来例よりも操作感の良い実施例１のレンズバリア装置１０Ａを提供することができる。
【００６９】
次に、本発明に係る実施例１のレンズバリア装置１０Ａを一部変形させた変形例について図１１（ａ），（ｂ）を用いて簡略に説明する。
【００７０】
本発明に係る実施例１のレンズバリア装置１０Ａでは、一対の第１，第２レンズバリア１２，１３を開閉自在に構成した例について説明したが、これに限ることなく、この変形例では複数のレンズバリアとして例えば４つのレンズバリアを開閉するように構成されている。
【００７１】
即ち、図１１（ａ），（ｂ）に示した如く、実施例１の変形例では、４つのレンズバリアとして、操作リング１４に形成した一対のカム溝１４ｆ，１４ｇに係合する一対のメインレンズバリア１２Ａ，１３Ａと、一対のメインレンズバリア１２Ａ，１３Ａ上にそれぞれ軸支させた一対のサブレンズバリア１２Ｂ，１３Ｂとからなっている。
【００７２】
この際、一対の第１，第２メインレンズバリア１２Ａ，１３Ａは、実施例１で説明したレンズバリア支持用フレーム１１の第１，第２レンズバリア支持軸１１ｇ，１１ｈ（図２，図３）に軸支される孔１２ｃ，１３ｃと、操作リング１４の第１，第２カム溝１４ｆ，１４ｇ（図２，図７）に係合する各係合ピン１２ｄ，１３ｄとが形成されており、操作リング１４の正逆転動作に伴って一対の第１，第２メインレンズバリア１２Ａ，１３Ａが開閉自在になっている。
【００７３】
一方、一対の第１，第２サブレンズバリア１２Ｂ，１３Ｂは、一対の第１，第２メインレンズバリア１２Ａ，１３Ａの孔１２ｃ，１３ｃの外周ボス１２ｆ，１３ｆに軸支され、且つ、一対の第１，第２メインレンズバリア１２Ａ，１３Ａに形成した不図示の各係合ピンが一対の第１，第２サブレンズバリア１２Ｂ，１３Ｂに形成したカム溝１２ｇ，１３ｇに沿って追従できるようになっており、一対の第１，第２メインレンズバリア１２Ａ，１３Ａの開閉動作に伴って一対の第１，第２サブレンズバリア１２Ｂ，１３Ｂが連動して開閉できる構造になっている。
【００７４】
そして、４枚構成のレンズバリアタイプは、ここでの図示を省略するものの、開いた時に第１，第２メインレンズバリア１２Ａ，１３Ａ上に第１，第２サブレンズバリア１２Ｂ，１３Ｂが重なり合うために、２枚構成のレンズバリアタイプの駆動量と同じ駆動量で開口面積を広げることができ、言い換えると、両タイプの開口面積が同じである場合に４枚構成のレンズバリアタイプでは各バリアの退避面積が小さくなるので、２枚構成のレンズバリアタイプよりも小型化を図ることが可能になる。
【実施例２】
【００７５】
図１２は本発明に係る実施例２のレンズバリア装置を分解して示した分解斜視図、
図１３は本発明に係る実施例２のレンズバリア装置において、操作リングを示した図、
図１４は本発明に係る実施例２のレンズバリア装置において、締結用フレームを示した図、
図１５は本発明に係る実施例２のレンズバリア装置の動作のうちでトグルバネの動作を説明するための図、
図１６は本発明に係る実施例２のレンズバリア装置の動作のうちでＵ字状バネの動作を説明するための図である。
【００７６】
図１２に示した本発明に係る実施例２のレンズバリア装置１０Ｂ、先に説明した本発明に係る実施例１のレンズバリア装置１０Ａ（図２）の構成と一部を除いて同様の構成であり、ここでは説明の便宜上、先に示した構成部材に対しては同一の符号を付し、且つ、先に示した構成部材は必要に応じて適宜説明し、実施例１と異なる構成部材に新たな符号を付して異なる点を中心にして説明する。
【００７７】
図１２に示した如く、本発明に係る実施例２のレンズバリア装置１０Ｂは、レンズバリア支持用フレーム１１と、このレンズバリア支持用フレーム１１の内部に開閉自在（回動自在）に軸支された一対の第１，第２レンズバリア１２，１３と、レンズバリア支持用フレーム１１に対して所定の角度範囲に亘って正逆転可能に支持されて内部に一対の第１，第２のレンズバリア１２，１３に形成した各係合ピン１２ｄ，１３ｄをそれぞれ係合させる一対のカム溝１４ｆ’，１４ｇ’が形成された操作リング１４’と、操作リング１４’をレンズバリア閉じ位置側とレンズバリア開き位置側とにクリック感を持って付勢するトグルバネ１５と、レンズバリア支持用フレーム１１に操作リング１４’を正逆転可能に嵌合させた状態で操作リング１４’を介してレンズバリア支持用フレーム１１を締結すると共にビデオカメラ２０（図１）の筺体２１の前面２１ａ側に取り付けられる締結用フレーム１６’と、締結用フレーム１６’に中間部１７ａが掛止され、且つ、中間部１７ａから左右に向かって略Ｕ字状に延出した一端部１７ｂ及び他端部１７ｃを操作リング１４’の第１，第２カム溝１４ｆ’，１４ｇ’に嵌合させた第１，第２レンズバリア１２，１３の各係合ピン１２ｄ，１３ｄの各内側に掛止させて一対の第１，第２レンズバリア１２，１３を常に閉じ方向に付勢するＵ字状バネ１７とを備えている。
【００７８】
この実施例２では、操作リング１４’と締結用フレーム１６’とが実施例１に対して一部形状が異なっていると共に、新たにＵ字状バネ１７が追加されている。
【００７９】
ここで、実施例１に対して異なる点について説明すると、実施例２で用いられる操作リング１４’は、図１３に示した如く、この内部の内側円板部１４ｃ上に形成した一対の第１，第２カム溝１４ｆ’，１４ｇ’の形状が実施例１に対して異なっている。
【００８０】
上記した一対の第１，第２カム溝１４ｆ’，１４ｇ’は、各一端部１４ｆ’１，１４ｇ’１（図１３のみ図示）から各中間部１４ｆ’２，１４ｇ’２（図１３のみ図示）に向かって仮想中心１４ｏからの半径方向距離が徐々に大きくなるようにカム状に形成されて、各中間部１４ｆ’２，１４ｇ’２から各一端部１４ｆ’１，１４ｇ’１にかけて一対の第１，第２レンズバリア１２，１３の各係合ピン１２ｄ，１３ｄが係合するようになっていると共に、各中間部１４ｆ’２，１４ｇ’２から各他端部１４ｆ’３，１４ｇ’３（図１３のみ図示）に向かって仮想中心１４ｏからの半径方向距離が最大の状態で円弧状に形成されて、各他端部１４ｆ’３，１４ｇ’３から各中間部１４ｆ’２，１４ｇ’２にかけてレンズバリア支持用フレーム１１の内側円板部１１ｃ上に形成したトグルバネ掛止部１１ｉ（又は１１ｊ）が進入するようになっている。
【００８１】
この際、一対の第１，第２カム溝１４ｆ’，１４ｇ’中で各一端部１４ｆ’１，１４ｇ’１が一対の第１，第２レンズバリア１２，１３のレンズバリア開き位置となる一方、各中間部１４ｆ’２，１４ｇ’２が一対の第１，第２レンズバリア１２，１３のレンズバリア閉じ位置となっている。
【００８２】
この際、一対の第１，第２カム溝１４ｆ’，１４ｇ’中で第１，第２レンズバリア１２，１３の各係合ピン１２ｄ，１３ｄが係合する各中間部１４ｆ’２，１４ｇ’２から各一端部１４ｆ’１，１４ｇ’１にかけて各溝幅が第１，第２レンズバリア１２，１３の各係合ピン１２ｄ，１３ｄの各径よりも大きく形成されている点が実施例１に対して異なっている。この理由は、第１，第２レンズバリア１２，１３の各係合ピン１２ｄ，１３ｄをＵ字状バネ１７により常に閉じ方向に付勢しているために、第１，第２レンズバリア１２，１３の各係合ピン１２ｄ，１３ｄのいずれか一方は操作リング１４’に形成した一対の第１，第２カム溝１４ｆ’，１４ｇ’のいずれか一方の外周側壁に当接しながら追従可能になっているためである。
【００８３】
また、実施例２で用いられる締結用フレーム１６’は、図１４に示した如く、円板部１６ａの外周部位にＵ字状バネ掛止片１６ｈ，１６ｉが互いに接近して形成されている点が実施例１に対して異なっており、この際、Ｕ字状バネ掛止片１６ｈ，１６ｉは円板部１６ａの外周部位を一部肉抜きすることで円板部１６ａの後面１６ａ２側に突出している。そして、これらのＵ字状バネ掛止片１６ｈ，１６ｉにＵ字状バネ１７の中間部１７ａが掛止されるようになっている。
【００８４】
また、新たに追加されたＵ字状バネ１７は、バネ用線材を用いて中間部１７ａから中間部１７ａから左右に向かって一端部１７ｂ及び他端部１７ｃが略Ｕ字状に延出されている。
【００８５】
そして、レンズバリア支持用フレーム１１，一対の第１，第２レンズバリア１２，１３，操作リング１４’，トグルバネ１５，締結用フレーム１６’を組立てた後に、締結用フレーム１６’に形成したＵ字状バネ掛止片１６ｈ，１６ｉにＵ字状バネ１７の中間部１７ａを掛止させると共に、一端部１７ｂ及び他端部１７ｃを操作リング１４’の各第１，第２カム溝１４ｆ’，１４ｇ’に嵌合させた第１，第２レンズバリア１２，１３の係合ピン１２ｄ，１３ｄの各内側に掛止させて一対の第１，第２レンズバリア１２，１３を常に閉じ方向に付勢している。
【００８６】
更に、Ｕ字状バネ１７を取り付けた後に、締結用フレーム１６のカメラ筐体取付部１６ｆ，１６ｇをカメラ筐体２１の前面２１ａ（図１）側に固定又は着脱自在に取り付けている。
【００８７】
ここで、上記のように構成した本発明に係る実施例２のレンズバリア装置１０Ｂの動作うちで、図１５（ａ），（ｂ）を用いてトグルバネ１５の動作について説明する。
【００８８】
まず、図１５（ａ）に示した状態は、レンズバリア支持用フレーム１１に対して操作リング１４’が初期位置で停止している。また、ここでは一対の第１，第２レンズバリア１２，１３は、Ｕ字状バネ１７によって常に閉じ方向に付勢されているが、Ｕ字状バネ１７の図示を省略してトグルバネ１５のみに注目して以下説明する。
【００８９】
この際、レンズバリア支持用フレーム１１に形成した一対の第１，第２レンズバリア支持軸１１ｇ，１１ｈに孔１２ｃ，１３ｃが軸支された一対の第１，第２レンズバリア１２，１３は、ここに形成した各係合ピン１２ｄ，１３ｄが操作リング１４’に形成した一対のカム溝１４ｆ’，１４ｇ’中でレンズバリア閉じ位置となる中間部に係合しているので、互いに接合部位同士が接触して閉じている。この時、第１レンズバリア１２の係合ピン１２ｄは不図示のＵ字状バネ１７により閉じ方向に押されてカム溝１４ｆ’のうちで中間部の外周の側壁に当接してレンズバリア閉じ位置に至っているものの、第２レンズバリア１３は不図示のＵ字状バネ１７により閉じ方向に押されて第１レンズバリア１２に当接するために、第２レンズバリア１３の係合ピン１３ｄはカム溝１４ｇ’のうちで中間部内の外周側壁及び内周側壁に当接していない。
【００９０】
また、レンズバリア支持用フレーム１１に形成したトグルバネ掛止部１１ｉは操作リング１４’に形成したカム溝１４ｇ’中で他端側に進入した状態でトグルバネ１５の一端部１５ｂが掛止されていると共に、操作リング１４’に形成したトグルバネ掛止部１４ｈにトグルバネ１５の他端部１５ｃが掛止されているので、このトグルバネ１５のバネ力により操作リング１４’がレンズバリア閉じ位置側にクリック感を持って付勢されながら一対の第１，第２レンズバリア１２，１３がレンズバリア閉じ位置で閉じられている。
【００９１】
次に、図１５（ｂ）に示した如く、操作者が手動により操作リング１４’を裏面側から見て反時計方向に約６０°程度回転させると、一対の第１，第２レンズバリア１２，１３に形成した各係合ピン１２ｄ，１３ｄが操作リング１４’に形成した一対のカム溝１４ｆ’，１４ｇ’中でレンズバリア開き位置となる各一端部側に移動するので、一対の第１，第２レンズバリア１２，１３が開く。これと同時に、レンズバリア支持用フレーム１１に形成したトグルバネ掛止部１１ｉは操作リング１４’に形成したカム溝１４ｇ’中で中間部に移動し、且つ、操作リング１４’に形成したトグルバネ掛止部１４ｈも反時計方向に約６０°移動するので、両トグルバネ掛止部１１ｉ，１４ｈに掛止されたトグルバネ１５の姿勢が初期状態に対して反転されるので、このトグルバネ１５のバネ力により操作リング１４’がレンズバリア開き位置側にクリック感を持って付勢されながら一対の第１，第２レンズバリア１２，１３がレンズバリア開き位置で開かれている。
【００９２】
この後、操作リング１４’を初期位置に戻す場合には、図１５（ｂ）に示した状態から操作リング１４’を裏面側から見て時計方向に逆転させれば良い。
【００９３】
従って、操作者は操作リング１４’の正逆転動作に伴って、一対の第１，第２レンズバリア１２，１３をトグルバネ１５のバネ力によりレンズバリア閉じ位置とレンズバリア開き位置とでクリック感を持って開閉できるので、これにより、従来例よりも操作感の良い実施例２のレンズバリア装置１０Ｂを提供することができる。
【００９４】
次に、上記のように構成した本発明に係る実施例２のレンズバリア装置１０Ｂの動作うちで、図１６（ａ），（ｂ）を用いてＵ字状バネ１７の動作について説明する。
【００９５】
まず、図１６（ａ）に示した状態は、レンズバリア支持用フレーム１１に対して操作リング１４’が初期位置で停止していると共に、一対の第１，第２レンズバリア１２，１３は、ここに形成した各係合ピン１２ｄ，１３ｄが操作リング１４’に形成した一対のカム溝１４ｆ’，１４ｇ’中でレンズバリア閉じ位置となる中間部に係合しているので、互いに接合部位同士が接触して閉じている。
【００９６】
この状態の時に、Ｕ字状バネ１７の中間部１７ａは締結用フレーム１６’に形成したＵ字状バネ掛止片１６ｈ，１６ｉに掛止され、且つ、Ｕ字状バネ１７の一端部１７ｂ及び他端部１７ｃは操作リング１４’の第１，第２カム溝１４ｆ’，１４ｇ’に嵌合させた第１，第２レンズバリア１２，１３の各係合ピン１２ｄ，１３ｄの各内側に掛止されているので、Ｕ字状バネ１７のバネ力により第１，第２レンズバリア１２，１３は常に閉じ方向に付勢している。これにより、操作者が不図示のピンセットなどを用いて第１，第２レンズバリア１２，１３の接合部位を故意にこじ開けようとしてもＵ字状バネ１７のバネ力により第１，第２レンズバリア１２，１３を開くことができないので、実施例２のレンズバリア装置１０Ｂの信頼性を向上させることができる。
【００９７】
次に、図１６（ｂ）に示した如く、操作者が手動により操作リング１４’を裏面側から見て反時計方向に約６０°程度回転させると、一対の第１，第２レンズバリア１２，１３に形成した各係合ピン１２ｄ，１３ｄが操作リング１４’に形成した一対のカム溝１４ｆ’，１４ｇ’中でレンズバリア開き位置となる各一端部側に移動するので、一対の第１，第２レンズバリア１２，１３が開く。この際、Ｕ字状バネ１７のバネ力により第１，第２レンズバリア１２，１３は常に閉じ方向に付勢されているので、操作リング１４’に形成した一対のカム溝１４ｆ’，１４ｇ’の形状とか、一対の第１，第２レンズバリア１２，１３の支持軸の位置ズレなどに影響しないで、一対の第１，第２レンズバリア１２，１３に形成した各係合ピン１２ｄ，１３ｄを操作リング１４’に形成した一対のカム溝１４ｆ’，１４ｇ’に沿って確実に移動することができる。
【００９８】
この後、操作リング１４’を初期位置に戻す場合には、図１６（ｂ）に示した状態から操作リング１４’を裏面側から見て時計方向に逆転させれば良い。
【００９９】
更に、この実施例２でも、実施例１と同様に、先に図１１（ａ），（ｂ）を用いて説明した実施例１と同様に、４つのレンズバリアとして、操作リング１４’に形成した一対のカム溝１４ｆ’，１４ｇ’に係合する一対のメインレンズバリア１２Ａ，１３Ａと、一対のメインレンズバリア１２Ａ，１３Ａ上にそれぞれ軸支させた一対のサブレンズバリア１２Ｂ，１３Ｂとを備えて、一対の第１，第２メインレンズバリア１２Ａ，１３Ａの開閉動作に伴って一対の第１，第２サブレンズバリア１２Ｂ，１３Ｂが連動して開閉できる構造にすることも可能である。
【図面の簡単な説明】
【０１００】
【図１】本発明に係る実施例１のレンズバリア装置又は実施例２のレンズバリア装置を取り付けたビデオカメラを示した図である。
【図２】本発明に係る実施例１のレンズバリア装置を分解して示した分解斜視図である。
【図３】本発明に係る実施例１のレンズバリア装置において、レンズバリア支持用フレームを示した図である。
【図４】本発明に係る実施例１のレンズバリア装置において、第１レンズバリアを示した図である。
【図５】本発明に係る実施例１のレンズバリア装置において、第２レンズバリアを示した図である。
【図６】本発明に係る実施例１のレンズバリア装置において、一対の第１，第２レンズバリアが閉じた状態を示した図である。
【図７】本発明に係る実施例１のレンズバリア装置において、操作リングを示した図である。
【図８】本発明に係る実施例１のレンズバリア装置において、トグルバネを拡大して示した図である。
【図９】本発明に係る実施例１のレンズバリア装置において、締結用フレームを示した図である。
【図１０】本発明に係る実施例１のレンズバリア装置の動作を説明するための図である。
【図１１】本発明に係る実施例１のレンズバリア装置を一部変形させた変形例を説明するための図である。
【図１２】本発明に係る実施例２のレンズバリア装置を分解して示した分解斜視図である。
【図１３】本発明に係る実施例２のレンズバリア装置において、操作リングを示した図である。
【図１４】本発明に係る実施例２のレンズバリア装置において、締結用フレームを示した図である。
【図１５】本発明に係る実施例２のレンズバリア装置の動作のうちでトグルバネの動作を説明するための図である。
【図１６】本発明に係る実施例２のレンズバリア装置の動作のうちでＵ字状バネの動作を説明するための図である。
【図１７】従来のレンズバリア付きカメラを示した正面図である。
【図１８】従来のレンズバリア付きカメラの前側部分を分解して示した分解斜視図である。
【符号の説明】
【０１０１】
１０Ａ…実施例１のレンズバリア装置、
１０Ｂ…実施例２のレンズバリア装置、
１１…レンズバリア支持用フレーム、１１ａ…前面、１１ｂ…前面側円形凹部、
１１ｃ…内側円板部、１１ｄ…後面、１１ｅ…後面側円形凹部、１１ｆ…光透過孔、
１１ｇ，１１ｈ…一対の第１，第２レンズバリア支持軸、１１ｉ…トグルバネ掛止部、
１１ｍ，１１ｎ…一対の締結用ボス、
１２，１３…一対の第１，第２レンズバリア、１２ａ，１３ａ…台形部、
１２ｂ，１３ｂ…アーム部、１２ｃ，１３ｃ…孔、１２ｄ，１３ｄ…係合ピン、
１２ｅ，１３ｅ…テーパ面、
１４…実施例１の操作リング、１４ａ…円筒部、１４ｂ…リング状嵌合壁部、
１４ｃ…内側円板部、１４ｄ…後面側円形凹部、１４ｅ…光透過孔、
１４ｆ，１４ｇ…一対の第１，第２カム溝、１４ｈ…トグルバネ掛止部、
１４ｍ，１４ｎ…一対の逃げ孔、
１４’…実施例２の操作リング、１４ｆ’，１４’ｇ…一対の第１，第２カム溝、
１５…トグルバネ、１５ａ…コイルバネ部、１５ｂ…一端部、１５ｃ…他端部、
１６…実施例１の締結用フレーム、１６ａ…円板部、１６ｂ…嵌合用円板部、
１６ｃ…光透過孔、１６ｄ，１６ｅ…取付孔、１６ｆ，１６ｇ…カメラ筐体取付部、
１６’…実施例２の締結用フレーム、１６ｈ，１６ｉ…Ｕ字状バネ掛止部、
１７…Ｕ字状バネ、１７ａ…中間部、１７ｂ…一端部、１７ｃ…他端部、
２０…ビデオカメラ、２１…カメラ筺体、２１ａ…前面、２２…撮影レンズ。
【図１】
2007322872.tif 000003
【図２】
2007322872.tif 000004
【図３】
2007322872.tif 000005
【図４】
2007322872.tif 000006
【図５】
2007322872.tif 000007
【図６】
2007322872.tif 000008
【図７】
2007322872.tif 000009
【図８】
2007322872.tif 000010
【図９】
2007322872.tif 000011
【図１０】
2007322872.tif 000012
【図１１】
2007322872.tif 000013
【図１２】
2007322872.tif 000014
【図１３】
2007322872.tif 000015
【図１４】
2007322872.tif 000016
【図１５】
2007322872.tif 000017
【図１６】
2007322872.tif 000018
【図１７】
2007322872.tif 000019
【図１８】
2007322872.tif 000020